(57)【要約】【課題】外部からのエネルギーの投入や高温維持の必要がなく、エネルギーを生成しつつ二酸化炭素を有益な炭化水素化合物として変換することが可能であり、かつ、炭化水素化合物等の生成量や、種類別比率のコントロールを可能とし、生成物の利用効率が向上するとともに、分離回収のための設備も簡素化することが可能な固体高分子形発電方法およびシステムを提供すること。【解決手段】膜電極接合体１１３を有する発電部１１０のカソード１１１側に二酸化炭素を、アノード１１２側に水素を供給し、発電部１１０の発電電圧を制御して単位時間あたりに生成される炭化水素化合物の量および種類別比率を変更すること。【選択図】図１
2015056315.tif 000002
【特許請求の範囲】
【請求項１】
触媒層を設けた膜電極接合体を有する発電部のカソード側に二酸化炭素を供給し、アノード側に水素を供給し、炭化水素化合物および水を生成する固体高分子形発電方法であって、
前記発電部のカソードとアノードの間の発電電圧を制御し、
単位時間あたりに生成される炭化水素化合物の量および種類別比率を変更することを特徴とする固体高分子形発電方法。
【請求項２】
前記発電部の温度を制御し、
単位時間あたりに生成される炭化水素化合物の量および種類別比率を変更することを特徴とする請求項１に記載の固体高分子形発電方法。
【請求項３】
前記供給される二酸化炭素および水素の少なくとも一方を水により加湿し、
前記加湿の程度を制御し、単位時間あたりに生成される炭化水素化合物の量および種類別比率を変更することを特徴とする請求項１または請求項２に記載の固体高分子形発電方法。
【請求項４】
前記二酸化炭素および水素を連続的に供給することを特徴とする請求項１乃至請求項３のいずれかに記載の固体高分子形発電方法。
【請求項５】
前記発電部の温度を２００℃以下とし、
メタン、メタノール、エタノール、プロパノール、ホルムアルデヒド、アセトアルデヒドの少なくとも何れか一つの成分を生成することを特徴とする請求項１乃至請求項４のいずれかに記載の固体高分子形発電方法。
【請求項６】
触媒層を設けた膜電極接合体を有する発電部と、前記発電部のカソード側に二酸化炭素を供給する二酸化炭素供給手段と、前記発電部のアノード側に水素を供給する水素供給手段と、生成物を分離・回収する気液分離手段とを備えた固体高分子形発電システムであって、
前記発電部のカソードとアノードの間の発電電圧を制御する電圧制御手段を備えたことを特徴とする固体高分子形発電システム。
【請求項７】
前記発電部の温度を制御する温度制御手段を備えたことを特徴とする請求項６に記載の固体高分子形発電システム。
【請求項８】
前記二酸化炭素供給手段および水素供給手段の少なくとも一方に、加湿のための水を供給する加湿手段が接続されていることを特徴とする請求項６または請求項７に記載の固体高分子形発電システム。
【請求項９】
前記気液分離手段が、未反応のガスを再び二酸化炭素供給手段および水素供給手段の少なくとも一方に循環させる循環経路を有することを特徴とする請求項６乃至請求項８に記載の固体高分子形発電システム。
【請求項１０】
前記発電部、気液分離手段および加湿手段がそれぞれ独立した温度制御手段を有し、
前記加湿手段が加湿制御手段を有し、
回収すべき生成物の種類や量に応じて、前記電圧制御手段、加湿制御手段および各温度制御手段の複数を統括制御する中央制御手段を備えたことを特徴とする請求項７乃至請求項９のいずれかに記載の固体高分子形発電システム。
【請求項１１】
前記電圧制御手段が、逆反応で電力を供給して二酸化炭素および水素を生成可能に構成されていることを特徴とする請求項６乃至請求項１０のいずれかに記載の固体高分子形発電システム。
【請求項１２】
請求項６乃至請求項１１のいずれかに記載の固体高分子形発電システムと、ダイレクトメタノール燃料電池システムおよび水電解システムとを組み合わせて構成される再生型燃料電池システム。
【発明の詳細な説明】
【技術分野】
【０００１】
本発明は、触媒層を設けた膜電極接合体のカソード側に二酸化炭素を供給し、アノード側に水素を供給し、発電するとともに炭化水素化合物および水を生成する固体高分子形発電方法およびシステムに関する。
【背景技術】
【０００２】
近年、化石燃料の燃焼に由来する大気中への二酸化炭素排出が、生態系や地球環境に大きな影響を与える可能性があることから、世界的にも二酸化炭素の排出抑制が求められている。
このため、二酸化炭素を排出しない、あるいは、二酸化炭素の排出量を削減する技術の開発が行われており、その一環として二酸化炭素を固定化したり他の物質へ変換する技術の開発も行われている。
また、宇宙ステーションやロケット等の完全な閉鎖環境では、物質の補給が容易ではなく、元素レベルで必要最低限の補給、排出に留める必要がある。
このため、発生した二酸化炭素を他の物質に変換して回収できる物質を増加させ、補給、排出する物質を元素レベルで極力減らすことが求められている。
【０００３】
大気中の二酸化炭素量を緩和する手法としては、二酸化炭素を回収し地中に埋める手法が具体的に進められている。
また、二酸化炭素をサバチエ触媒反応により３００℃近傍の高温で水素と反応させてメタンを生成させ、このメタンを回収して移送の容易なエネルギーとして使用する試みもある。
ただし、これら全ての手法は埋設のためのエネルギーを大量に投入するか、もしくは高温を維持するためにエネルギーを必要とする手法である。
【０００４】
エネルギーの投入を抑制して二酸化炭素を固定化するものとして、触媒層を設けた膜電極接合体を有する発電部のカソード側に二酸化炭素を供給し、アノード側に水素を供給することで、燃料電池反応により二酸化炭素を酸化剤として電気を起こしつつ、反応中に二酸化炭素を還元して一酸化炭素等の他に利用可能な化合物を生成し、炭素資源のリサイクルが可能な固体高分子形発電方法およびシステムが提案されている（例えば、特許文献１等参照。）。
【先行技術文献】
【特許文献】
【０００５】
【特許文献１】国際特許公開２０１２／１２８１４８号
【発明の概要】
【発明が解決しようとする課題】
【０００６】
しかしながら、前記の特許文献１で公知の技術においては、一酸化炭素の生成をメインとしており、また、他に炭化水素化合物等の化合物も生成されるものの、生成量や、種類別比率（生成される複数の炭化水素化合物等の生成比率）のコントロールは一切考慮されていなかった。
そのため、多様な生成物を分離して回収するために、複雑な設備が必要であった。
また、生成された化合物によって利用価値や用途も異なるため、その回収利用ルートも複数準備する必要があり、回収や利用のために設備が多く必要となり、それらの処理のためにエネルギーを投入せざるを得ず、利用効率が低下するという問題があった。
そこで、本発明者らが鋭意研究した結果、触媒層を設けた膜電極接合体を有する発電部のカソード側に二酸化炭素を供給し、アノード側に水素を供給して、燃料電池反応により二酸化炭素を酸化剤として電気を起こしつつ、反応中に二酸化炭素を還元するに際し、発電電圧、温度条件、加湿条件等に応じて、単位時間あたりに生成される複数の炭化水素化合物の生成量および種類別比率をコントロール可能であることを見出した。
【０００７】
本発明は、上記の知見に基づいて、公知の固体高分子形発電方法およびシステムの課題を解決するものであり、外部からのエネルギーの投入や高温維持の必要がなく、エネルギーを生成しつつ二酸化炭素を有益な炭化水素化合物として変換することが可能であり、かつ、炭化水素化合物等の生成量や、種類別比率のコントロールを可能とし、利用用途に応じた化合物を大量に生成することが可能となり、生成物の利用効率が向上するとともに、分離回収のための設備も簡素化することが可能な固体高分子形発電方法およびシステムを提供することを目的とするものである。
【課題を解決するための手段】
【０００８】
本請求項１に係る発明は、触媒層を設けた膜電極接合体を有する発電部のカソード側に二酸化炭素を供給し、アノード側に水素を供給し、炭化水素化合物および水を生成する固体高分子形発電方法であって、前記発電部のカソードとアノードの間の発電電圧を制御し、単位時間あたりに生成される炭化水素化合物の量および種類別比率を変更することにより、前記課題を解決するものである。
【０００９】
本請求項２に係る発明は、請求項１に係る固体高分子形発電方法の構成に加え、前記発電部の温度を制御し、単位時間あたりに生成される炭化水素化合物の量および種類別比率を変更することにより、前記課題を解決するものである。
本請求項３に係る発明は、請求項１または請求項２に係る固体高分子形発電方法の構成に加え、前記供給される二酸化炭素および水素の少なくとも一方を水により加湿し、前記加湿の程度を制御し、単位時間あたりに生成される炭化水素化合物の量および種類別比率を変更することにより、前記課題を解決するものである。
本請求項４に係る発明は、請求項１乃至請求項３のいずれかに係る固体高分子形発電方法の構成に加え、前記二酸化炭素および水素を連続的に供給することにより、前記課題を解決するものである。
本請求項５に係る発明は、請求項１乃至請求項４のいずれかに係る固体高分子形発電方法の構成に加え、前記発電部の温度を２００℃以下とし、メタン、メタノール、エタノール、プロパノール、ホルムアルデヒド、アセトアルデヒドの少なくとも何れか一つの成分を生成することにより、前記課題を解決するものである。
【００１０】
本請求項６に係る発明は、触媒層を設けた膜電極接合体を有する発電部と、前記発電部のカソード側に二酸化炭素を供給する二酸化炭素供給手段と、前記発電部のアノード側に水素を供給する水素供給手段と、生成物を分離・回収する気液分離手段とを備えた固体高分子形発電システムであって、前記発電部のカソードとアノードの間の発電電圧を制御する電圧制御手段を備えたことにより、前記課題を解決するものである。
【００１１】
本請求項７に係る発明は、請求項６に係る固体高分子形発電システムの構成に加え、前記発電部の温度を制御する温度制御手段を備えたことにより、前記課題を解決するものである。
本請求項８に係る発明は、請求項６または請求項７に係る固体高分子形発電システムの構成に加え、前記二酸化炭素供給手段および水素供給手段の少なくとも一方に、加湿のための水を供給する加湿手段が接続されていることにより、前記課題を解決するものである。
本請求項９に係る発明は、請求項６乃至請求項８のいずれかに係る固体高分子形発電システムの構成に加え、前記気液分離手段が、未反応のガスを再び二酸化炭素供給手段および水素供給手段の少なくとも一方に循環させる循環経路を有することにより、前記課題を解決するものである。
本請求項１０に係る発明は、請求項７乃至請求項９のいずれかに係る固体高分子形発電システムの構成に加え、前記発電部、気液分離手段および加湿手段がそれぞれ独立した温度制御手段を有し、前記加湿手段が加湿制御手段を有し、回収すべき生成物の種類や量に応じて、前記電圧制御手段、加湿制御手段および各温度制御手段の複数を統括制御する中央制御手段を備えたことにより、前記課題を解決するものである。
本請求項１１に係る発明は、請求項６乃至請求項１１のいずれかに係る固体高分子形発電システムの構成に加え、前記電圧制御手段が、逆反応で電力を供給して二酸化炭素および水素を生成可能に構成されていることにより、前記課題を解決するものである。
本請求項１２に係る再生型燃料電池システムは、請求項６乃至請求項１０のいずれかに記載の固体高分子形発電システムと、ダイレクトメタノール燃料電池システムおよび水電解システムとを組み合わせて構成されることにより、前記課題を解決するものである。
【発明の効果】
【００１２】
本請求項１に係る固体高分子形発電方法および請求項６に係る固体高分子形発電システムによれば、燃料電池反応により二酸化炭素を酸化剤として電気を起こしつつ、反応中に二酸化炭素を還元し、燃料電池からの直接生成物として炭化水素化合物を得ることができるため、外部からのエネルギーの投入や高温環境維持の必要がなく、エネルギーを生成しつつ二酸化炭素を有益な炭化水素化合物として変換することが可能である。
また、発電部のカソードとアノードの間の発電電圧を制御することで、炭化水素化合物等の生成量や種類別比率のコントロールが可能となり、利用用途に応じた化合物を大量に生成することが可能となり、生成物の利用効率が向上するとともに、分離回収のための設備も簡素化することが可能となる。
また、外部からのエネルギーの投入や高温環境維持の必要がなく、設備を簡素化することが可能なため、宇宙空間のような完全な閉鎖環境で有人活動を行う場合の人の呼気に含まれる二酸化炭素を除去し、炭素資源を回収する技術としても非常に有用である。
【００１３】
本請求項２および本請求項７に記載の構成によれば、発電部の温度を制御することにより、さらに細かく炭化水素化合物等の生成量や種類別比率のコントロールが可能となる。
本請求項３および本請求項８に記載の構成によれば、加湿の程度を制御することにより、さらに細かく炭化水素化合物等の生成量や種類別比率のコントロールが可能となる。
本請求項４に記載の構成によれば、二酸化炭素および水素を連続的に供給することにより、連続的に安定した発電および炭化水素化合物等の生成が可能となる。
本請求項５に記載の構成によれば、サバチエ反応のような高温環境を維持する必要がなく、設備をより簡素化することが可能となる。
特に、サバチエ反応を用いたものや、公知の固体高分子形発電方法およびシステムでは実現できなかった１００℃以下の低温環境での実施も可能である。
本請求項９に記載の構成によれば、気液分離手段が、未反応のガスを再び二酸化炭素供給手段および水素供給手段の少なくとも一方に循環させる循環経路を有することにより、閉じた系の中でも効率良く稼働することが可能となる。
本請求項１０に記載の構成によれば、電圧制御手段、加湿制御手段および各温度制御手段の複数を統括制御する中央制御手段を備えたことにより、さらに効率よく発電しつつ、正確に炭化水素化合物等の生成量や種類別比率のコントロールを行うことができる。
本請求項１１に記載の構成によれば、電圧制御手段が、逆反応で電力を供給して二酸化炭素および水素を生成可能に構成されていることにより、系内に原料、生成物がクローズした状態で充電・放電サイクルを組むことができ、極めて安全で有用な再生型燃料電池として利用することが可能となる。
本請求項１２に係る再生型燃料電池システムによれば、メタノールを選択的に生成可能な固体高分子形発電システムを組み込むことにより、系内に原料、生成物がクローズした状態でサイクルを組むことができ、メタノールや水を保管時成分とすることで、極めて安全で有用な再生型燃料電池として利用することが可能となる。
【図面の簡単な説明】
【００１４】
【図１】本発明の１実施形態に係る固体高分子形発電システムの説明図。
【図２】図１の発電部の分解説明図。
【図３】本発明の１実施形態に係る固体高分子形発電システムによる発電電圧と生成化合物の関係を示すグラフ。
【図４】他の実施形態に係る固体高分子形発電システム（他の触媒を採用）の発電電圧と生成化合物の関係を示すグラフ。
【図５】他の実施形態に係る固体高分子形発電システムによる発電部（セル）の温度と生成化合物の関係を示すグラフ。
【図６】本発明の１実施形態に係る固体高分子形発電システムによる発電部（スタック）の温度と発電性能の関係を示すグラフ。
【図７】本発明の１実施形態に係る固体高分子形発電システムによる発電部（セル）の発電電圧と電流密度の関係を示すグラフ。
【図８】本発明の１実施形態に係る固体高分子形発電システムによる連続運転時の発電部（スタック）の発電電圧を示すグラフ。
【図９】本発明の１実施形態に係る固体高分子形発電システムによるホルムアルデヒドの生成を示すグラフ。
【図１０】本発明の１実施形態に係る固体高分子形発電システムによるアセトンおよび２−プロパノールの生成を示すグラフ。
【図１１】本発明の１実施形態に係る固体高分子形発電システムを再生型燃料電池として利用した際の反応説明図。
【図１２】本発明に係る固体高分子形発電システムを応用した炭素循環系の参考図。
【発明を実施するための形態】
【００１５】
本発明の固体高分子形発電方法は、触媒層を設けた膜電極接合体を有する発電部のカソード側に二酸化炭素を供給し、アノード側に水素を供給し、炭化水素化合物および水を生成する固体高分子形発電方法であって、発電部のカソードとアノードの間の発電電圧を制御し、単位時間あたりに生成される炭化水素化合物の量および種類別比率を変更するものである。
また、本発明の固体高分子形発電システムは、触媒層を設けた膜電極接合体を有する発電部と、発電部のカソード側に二酸化炭素を供給する二酸化炭素供給手段と、発電部のアノード側に水素を供給する水素供給手段と、生成物を分離・回収する気液分離手段とを備えた固体高分子形発電システムであって、発電部のカソードとアノードの間の発電電圧を制御する電圧制御手段を備えたものである。
いずれも、外部からのエネルギーの投入や高温維持の必要がなく、エネルギーを生成しつつ二酸化炭素を有益な炭化水素化合物として変換することが可能であり、かつ、炭化水素化合物等の生成量や、種類別比率のコントロールを可能とし、利用用途に応じた化合物を大量に生成することが可能となり、生成物の利用効率が向上するとともに、分離回収のための設備も簡素化することが可能なものであれば、その具体的な実施態様はいかなるものであっても良い。
【００１６】
膜電極接合体（ＭＥＡ）を有する発電部の温度は、１００℃以下とし、ガスを連続的に供給し、必要に応じて循環させることにより反応場を維持するのが望ましい。
また、二酸化炭素を供給する電極の触媒は特に限定されないが、白金ルテニウム合金、あるいはルテニウム、ロジウム等の反応中に生成するメタノールにより被毒されないものが好適である。
二酸化炭素および水素は加湿して供給することが望ましく、このことで、安定な発電を持続することが可能になる。
【実施例】
【００１７】
本発明に係る固体高分子形発電システムの一実施形態について、図面を基に説明する。
固体高分子形発電システム１００は、図１、図２に示すように、触媒層１１４を設けた膜電極接合体１１３を有する発電部１１０と、発電部１１０のカソード１１１側に二酸化炭素を供給する二酸化炭素供給手段１２０と、発電部１１０のアノード１１２側に水素を供給する水素供給手段１３０と、生成物を分離・回収する気液分離手段１４０、１５０とを備えている。
なお、説明のため発電部１１０は１つのセルのみで構成されたものを簡略化して図示しているが、実際の形状はこれに限られるものではなく、また、発電部１１０全体として高い発電電圧を得るために複数のセルをスタック状に直列配置するのが望ましい。
【００１８】
二酸化炭素供給手段１２０および水素供給手段１３０から発電部１１０への経路には、それぞれ、加湿のための水を供給する加湿手段１２１、１３１が接続されている。
気液分離手段１４０、１５０には、未反応のガスを再び二酸化炭素供給手段１２０および水素供給手段１３０から発電部１１０への経路に循環させる循環経路１４１、１５１を有しており、該循環経路１４１、１５１には循環ポンプ１４２、１５２が設けられている。
発電部１１０によって発電される電力は、図示しない負荷に供給されるが、発電部１１０のカソード１１１とアノード１１２の間の発電電圧は、電圧制御手段１６１によって制御可能に構成されている。
発電部１１０の温度は、発電部温度制御手段１６２によって制御可能に構成されている。
【００１９】
気液分離手段１４０、１５０の温度は、気液分離手段温度制御手段１６３、１６６によってそれぞれ独立して制御可能に構成されている。
また、加湿手段１２１、１３１の温度および加湿量は、加湿手段温度制御手段１６４、１６７および加湿制御手段１６５、１６８によってそれぞれ独立して制御可能に構成されている。
さらに、電圧制御手段１６１、発電部温度制御手段１６２、気液分離手段温度制御手段１６３、１６６、加湿手段温度制御手段１６４、１６７および加湿制御手段１６５、１６８は、中央制御手段１６０によって回収すべき生成物の種類や量に応じて統括制御可能に構成されている。
【００２０】
以上のように構成された本発明の固体高分子形発電方法およびシステムによる効果について、以下に説明する。
膜電極接合体１１３の触媒層１１４にダイレクトメタノール形燃料電池（ＤＭＦＣ）で実績のあるＰｔＲｕ合金系の異なる二種の触媒を用いたものについて、それぞれ、発電部１１０のカソード１１１とアノード１１２の間の発電電圧（電位）を変化させた際の化合物合成比率を、図３、図４に示す。
図３に示すグラフは、触媒としてＰｔＲｕ（商品名：ＴＥＣ６６Ｅ５０）を１ｍｇ／ｃｍ２で使用した場合の実験結果であり、図４に示すグラフは、触媒としてＰｔＲｕ（商品名：ＴＥＣ６１Ｅ５４）を３ｍｇ／ｃｍ２で使用した場合の実験結果である。
いずれの実験でも、発電電圧（電位）はカウンター電極（水素）により定めた。
【００２１】
これらの実験結果から、発電電圧（電位）に依存して化合物の合成比率が変化し、メタンの合成比率が高いほど、アルコール生成比率が低い（電位が低いほど還元が多い）ことが確認され、炭化水素化合物を選択的に生成することが可能であることが確認できる。
なお、図４の条件では、図示していないが、電位が８０ｍＶ以上の領域でホルムアルデヒドの生成が確認された。
【００２２】
膜電極接合体１１３の触媒層１１４にＰｔＲｕ（商品名：ＴＥＣ６１Ｅ５４）を３ｍｇ／ｃｍ２で用いたものについて、発電部（セル）の温度を変化させた際の化合物合成比率を、図５に示す。
水素は１００％に加湿して５０ｍｌ／ｍｉｎで供給し、発電電圧（電位）４０ｍＶ〜６０ｍＶの間で各温度について測定値をプロットした。
縦のレンジ表示が、各温度におけるメタン、メタノール、エタノールの４０ｍＶ〜６０ｍＶの間での測定値の範囲であり、曲線グラフが、温度に依存した傾向の曲線である。
炭化水素化合物の組成比は発電部（セル）の温度に依存して変化し、メタンとそれ以外のアルコールの間に相反する増減傾向が確認できる。
【００２３】
発電部１１０を８セルのスタックとした際の発電性能を、図６乃至図８に示す。
図６は、複数の発電部の温度における電流対電圧、および、電流対出力のグラフ、図７は、発電部の温度を８０℃とした時の電流密度対セル平均電位のグラフ、図８は発電部の温度を８０℃で連続運転した際の時間対電圧、時間対電流のグラフである。
いずれも、電極有効面積３０ｃｍ２×８セルのスタックを使用し、水素、二酸化炭素ともに２．５Ｌ／ｍｉｎで供給した。
図６、図７に示すように、上記の条件下で確実に発電可能である。
また、図８に示すように、発電開始直後のみ不安定ではあるが、すぐに安定し、約４時間の運用期間中の電圧変動もほとんどなく、安定な発電が継続された。
【００２４】
また、本発明の固体高分子形発電方法およびシステムによれば、発電部（セル）の電圧、温度等の条件を適宜に設定することで、他の炭化水素化合物の生成をコントロールすることも可能である。
例えば、電圧６０ｍＶ、温度８０℃とした際の生成物のクロマトグラフによる分析から、図９に示すように、ホルムアルデヒドの生成が確認できた。
また、電圧６０ｍＶ、温度９５℃とした際の生成物のクロマトグラフによる分析から、図１０に示すように、アセトン、および、２−プロパノールの生成が確認できた。
【産業上の利用可能性】
【００２５】
本発明の固体高分子形発電方法およびシステムによれば、外部からのエネルギーの投入や高温維持の必要がなく、エネルギーを生成しつつ二酸化炭素を有益な炭化水素化合物として変換することが可能であり、かつ、炭化水素化合物等の生成量や、種類別比率のコントロールが可能となる。
そのことで、利用用途に応じた化合物を大量に生成することが可能となり、生成物の利用効率が向上するとともに、分離回収のための設備も簡素化することができる。
このような特性を生かし、例えば、各種産業で原料やエネルギー源として極めて利用価値の高いエタノールに特化して生成することで、二酸化炭素を固定化し、発電によってエネルギーを供給しつつ、有用なエタノールを生成することが可能となり、環境問題、エネルギー問題、資源問題をともに解決することが可能となる。
【００２６】
また、メタノールに特化して生成した場合、図１１に示すように、充電・放電で可逆の反応であることから、別途の燃料電池と組み合わせたり、本発明の固体高分子形発電システム１００の電圧制御手段１６１を制御して、燃料電池としても作動させることで、系内に原料、生成物がクローズした状態でサイクルを組むことができ、極めて安全で有用な再生型燃料電池として利用することが可能となる。
また、図１２に示すように、本発明の固体高分子形発電システム１００を、ダイレクトメタノール燃料電池システム２００、水電解システム３００と組み合わせることにより、３ステップの経路をとる再生形燃料電池システムとして構築することも可能で、系内に原料、生成物がクローズした状態でサイクルを組むことができ、メタノールや水を保管時成分とすることで、極めて安全で有用な再生型燃料電池として利用することが可能となる。
さらに、宇宙ステーションやロケット等の完全な閉鎖環境の制御技術として、二酸化炭素除去、元素レベルでの循環、エネルギー生成等の観点から有効に活用できる。
【符号の説明】
【００２７】
１００  ・・・固体高分子形発電システム
１１０  ・・・発電部
１１１  ・・・カソード
１１２  ・・・アノード
１１３  ・・・膜電極接合体
１１４  ・・・触媒層
１２０  ・・・二酸化炭素供給手段
１２１  ・・・加湿手段（二酸化炭素側）
１３０  ・・・水素供給手段
１３１  ・・・加湿手段（水素側）
１４０  ・・・気液分離手段（二酸化炭素側）
１４１  ・・・循環経路（二酸化炭素側）
１４２  ・・・循環ポンプ（二酸化炭素側）
１５０  ・・・気液分離手段（水素側）
１５１  ・・・循環経路（水素側）
１５２  ・・・循環ポンプ（水素側）
１６０  ・・・中央制御手段
１６１  ・・・電圧制御手段
１６２  ・・・発電部温度制御手段
１６３  ・・・気液分離手段温度制御手段（二酸化炭素側）
１６４  ・・・加湿手段温度制御手段（二酸化炭素側）
１６５  ・・・加湿制御手段（二酸化炭素側）
１６６  ・・・気液分離手段温度制御手段（水素側）
１６７  ・・・加湿手段温度制御手段（水素側）
１６８  ・・・加湿制御手段（水素側）
２００  ・・・ダイレクトメタノール燃料電池システム
３００  ・・・水電解システム
【図１】
2015056315.tif 000003
【図２】
2015056315.tif 000004
【図３】
2015056315.tif 000005
【図４】
2015056315.tif 000006
【図５】
2015056315.tif 000007
【図６】
2015056315.tif 000008
【図７】
2015056315.tif 000009
【図８】
2015056315.tif 000010
【図９】
2015056315.tif 000011
【図１０】
2015056315.tif 000012
【図１１】
2015056315.tif 000013
【図１２】
2015056315.tif 000014